(57)【要約】【課題】  本発明は、格闘用の警棒として使用されるだけではなく、刃物やピストルから身を守ったり、離れた相手の行動に制限を加えたり、相手を捕えたりする機能を有することを可能にする。また、本発明の警棒が周知になることにより、犯罪の抑止力を高めることができる。【解決手段】  外筒２と、前記外筒２の内部に収容されたネット９・１０と、前記ネット９・１０を発射又は展開させる機構１１Ａ・１１Ｂを有することを特徴とする警棒１とした。ネット９を展開することで刃物やピストルから身を守り、ネット１０を発射することで相手に絡ませることができる。警棒１は、更に、催涙弾１３又はカラー弾１４と、それを発射するための機構１２Ａ・１２Ｂを有することができる。【選択図】  図２
2017194216.tif 000002
【特許請求の範囲】
【請求項１】
外筒と、前記外筒の内部に収容されたネットと、前記ネットを発射又は展開させる機構を有することを特徴とする警棒。
【請求項２】
前記ネットを展開するための骨棒を更に有することを特徴とする請求項１に記載の警棒。
【請求項３】
前記外筒の内部に収容された催涙弾又はカラー弾と、前記催涙弾又はカラー弾を発射するための機構を更に有することを特徴とする請求項１又は２に記載の警棒。
【発明の詳細な説明】
【技術分野】
【０００１】
本発明は、警棒に関し、特に、警棒内部にネットを装備した警棒に関する。
【背景技術】
【０００２】
一般的に、警官や警備員が携帯する警棒は、棍棒の種類の一つで、護身用具・逮捕具として使用される。材質や形状が特殊なものや伸縮性を有する特殊警棒は存在するが、その内部に機能性を有する部材を装備したものは知られていない。
【０００３】
不審者等を一時的に拘束するための網を発射する装置が知られている。例えば、人体に絡む様に加工した動作遅延網を発射し、不審侵入者の行動を一時的に束縛する事を特徴とする据付形及び携帯形の逃走遅延装置が知られている（特許文献１）。また、侵入経路又は逃走経路に取り付けられ、加速錘によって投げ放つべき捕捉網の投網器として設計されている一時的な犯人拘束装置が知られている（特許文献２）。
【先行技術文献】
【特許文献】
【０００４】
【特許文献１】特開２００４−３２６１５５号公報
【特許文献２】特表２０００−５０３１４２号公報
【発明の概要】
【発明が解決しようとする課題】
【０００５】
特許文献１、２では、不審者等の行動に制限を加えることを目的とするものであるが、何れも予め設置が必要であり、警官や警備員が携帯できるものではなく、警棒としても使用できない。特許文献１は、携帯形の逃走遅延装置も開示するが、ピストル状の装置であり、警棒としては使用できない。
【０００６】
本発明は、格闘用の警棒として使用できるだけではなく、刃物やピストルなどによる危害から身を守ったり、離れた相手の行動に制限を加えたり、相手を捕えたりする機能を有することを目的とする。また、本発明の警棒が周知になることにより、犯罪の抑止力を高めることができる。
【課題を解決するための手段】
【０００７】
本発明は、外筒と、前記外筒の内部にネットを装備し、該ネットを発射又は展開させる機構を有することを特徴とする警棒である。
【発明の効果】
【０００８】
本発明は、格闘用の警棒として使用可能であり、更に、内部に装備されたネットを発射又は展開する機構を有する。よって、展開したネットによって刃物やピストルなどの危害から身を守ったり、発射したネットによって離れた相手の行動に制限を加えてたりすることができる。予め難しい設定や設置が不要であり、警官や警備員が従来の警棒と同様に携帯することができる。本発明の警棒が周知になることにより、犯罪の抑止力を高めることができる。更に、本発明の警棒の内部に催涙弾又はカラー弾を装備し、該弾丸を発射させる機構を有することで、離れた相手に威嚇したり、相手の行動に制限を加えたり、相手に色付けをしたりすることができる。
【図面の簡単な説明】
【０００９】
【図１】本発明の１実施形態の警棒１の外観図である。
【図２】本発明の警棒１におけるＡ部材の縦断図である。
【図３】本発明の警棒１におけるＢ部材の縦断図である。
【図４】本発明の警棒１におけるネット９の展開図である。
【図５】本発明の警棒１におけるネット１０の展開図である。
【発明を実施するための形態】
【００１０】
以下、本発明に係る警棒の好適な実施形態について、図面を参照しながら説明する。図１は本発明に係る警棒１の全体構成を示す外観図である。警棒１はＡ部材及びＢ部材からなる棒状の部材であり、警官や警備員が携帯することができ、警棒として使用できる。警棒１の両端にはキャップ部材１５Ａ、１５Ｂが取り付けられている。
【００１１】
図２、３は、それぞれ、Ａ部材及びＢ部材の縦断図である。本発明の警棒１は、外筒２及び内筒２１を有する。外筒２は、警棒としての使用を可能にするように、強度の高い材料で形成する。Ａ部材とＢ部材の間は、ジョイント板２０で仕切られている。
【００１２】
図２に示すように、Ａ部材の外筒２と内筒２１の間の空間には、ネット９と、ネット９を効果的に展開させる骨棒７と、ネット９を押し出すためのバネ１１Ａが収容される。内筒２１の内側の空間には、催涙弾１３と、催涙弾１３を押し出すためのバネ１２Ａが収容される。外筒２の外周には、圧縮棒３、４と、スイッチ１６、１７が取り付けられている。
【００１３】
図３に示すように、Ｂ部材の外筒２と内筒２１の間の空間にはネット１０と、ネット１０を効果的に展開させる骨棒８と、ネット１０を押し出すためのバネ１１Ｂが収容される。内筒２１の内側の空間には、カラー弾１４と、カラー弾１４を押し出すためのバネ１２Ｂが収容される。外筒２の外周には、圧縮棒５、６と、スイッチ１８、１９が取り付けられている。
【００１４】
圧縮棒３，４，５，６は、それぞれ、バネ１１Ａ，１２Ａ，１１Ｂ，１２Ｂを圧縮するために使用される。例えば、圧縮棒３，４，５，６を水平の状態（図１〜３の状態）から垂直の状態（不図示）にする等の操作をすることにより、バネ１１Ａ，１２Ａ，１１Ｂ，１２Ｂを圧縮することができる。以下では、バネ１１Ａ，１２Ａ，１１Ｂ，１２Ｂが圧縮されているものとして、警棒１の動作を説明する。
【００１５】
キャップ１５Ａを外してからスイッチ１６を押すと、バネ１１Ａが解除され、バネ１１Ａの力でネット９が図２の右側に向けて押し出される。押し出されたネット９は、図４に示すように骨棒７により効果的に展開される。このように、展開されたネット９が先端に付いた警棒１として使用できる。展開されたネット９により、相手の刃物やピストルなどによる攻撃から身を守ることができる。このため、骨棒８及び／又はネット９は、強度のある素材を使用するとよい。ネットは、例えば、ケブラー等を使用するとよい。
【００１６】
キャップ１５Ａを外してからスイッチ１７を押すと、バネ１２Ａが解除され、バネ１２Ａの力で催涙弾１３が図２の右側に向けて発射される。このとき、催涙弾１３から催涙剤が放出され、相手は目を開けていられなくなり、離れた相手に威嚇したり、離れた相手の行動に制限を加えたりすることができる。
【００１７】
キャップ１５Ｂを外してからスイッチ１８を押すと、バネ１１Ｂが解除され、バネ１１Ｂの力でネット１０が図３の左側に向けて発射される。発射されたネット１０は、図５に示すように展開し、狙った方向に飛行する。発射されたネット１０が不審者に絡み付くことで動作に制限を加えて捕捉を容易にすることができる。そのため、骨棒８及びネット１０は、絡み付き易い柔軟性のある素材であることが好ましい。また、ネット１０は、１０ｍまで飛ぶようにするとよい。
【００１８】
キャップ１５Ｂを外してからスイッチ１９を押すと、バネ１２Ｂが解除され、バネ１２Ｂの力でカラー弾１４が図３の左側に向けて発射される。このとき、発射されたカラー弾１４から塗料等が放出され、例えば逃走中の相手に色付けをすることができる。
【００１９】
上記実施形態では、ネット９，催涙弾１３，ネット１０，カラー弾１４を展開又は発射するための機構としてバネ１１Ａ，１２Ａ，１１Ｂ，１２Ｂを用いる場合を説明したが、バネに代えて、圧縮空気や火薬を用いてもよい。バネ１１Ａ，１２Ａ，１１Ｂ，１２Ｂの圧縮方法は任意であり、圧縮棒３、４、５、６以外の構造で圧縮してもよい。
【符号の説明】
【００２０】
１・・・警棒
２・・・外筒
２１・・・内筒
３、４、５、６・・・圧縮棒
７、８・・・骨棒
９、１０・・・ネット
１１Ａ、１２Ａ、１１Ｂ、１２Ｂ・・・バネ
１３・・・催涙弾
１４・・・カラー弾
１５Ａ、１５Ｂ・・・キャップ部材
１６、１７、１８、１９・・・スイッチ
２０・・・ジョイント板
【図１】
2017194216.tif 000003
【図２】
2017194216.tif 000004
【図３】
2017194216.tif 000005
【図４】
2017194216.tif 000006
【図５】
2017194216.tif 000007